(57)【要約】【課題】  道路に面し、高所に取付けられた照明装置内蔵型、或は、照明器具設置型の経年劣化による器具の取替え、または、ランプの取替え等、他の保守点検を梯子や足場組或は、作業車などの仮設材を使用せず、安全性に危惧することなく効率のよい作業を可能とする看板取付け支柱を提供する。【解決手段】  一面へ可動溝を設けた強固な鋼管支柱内部に、笠歯車を備えた回転シャフトと、該笠歯車と合致する笠歯車を併せ持つ螺旋軸を収納して、該支柱の外周面に僅かな隙間と腕及び看板取付け板を有し、可動ナットを具備した可動台座の可動ナットと、螺旋軸を合致させると共に、可動台座のナット取付け板を可動溝に挿入して支柱へ組み立て、支柱下部に配設した回転シャフトに着脱可能なハンドルを取付け、ハンドルの回転操作により、笠歯車、螺旋軸、可動ナットを介し、看板取付け台座を上下降することを特徴とする上下降装置付看板支柱。【選択図】図１
2008116889.tif 000002
【特許請求の範囲】
【請求項１】
一面へ可動溝を設けた強固な鋼管支柱内部に、笠歯車を備えた回転シャフトと、該笠歯車と合致する笠歯車を併せ持つ螺旋軸を収納して、該支柱の外周面に僅かな隙間と腕及び看板取付け板を有し、可動ナットを具備した可動台座の可動ナットと、螺旋軸を合致させると共に、可動台座のナット取付け板を可動溝に挿入して支柱へ組立て、支柱下部に配設した回転シャフトに着脱可能なハンドルを取付け、ハンドルの回転操作により、笠歯車、螺旋軸、可動ナットを介し、看板取付け台座を上下降することを特徴とする上下降装置付看板支柱。
【請求項２】
上記支柱は、看板取付けのみに限らず、街路灯支柱にも利用ができることを特徴とする請求項１に記載の上下降装置付看板支柱。
【発明の詳細な説明】
【技術分野】
【０００１】本発明は、照明器具内蔵型或は、照明器具設置型の看板取付け支柱に関するものであり詳しくは、照明装置である蛍光灯器具の蛍光灯、又は、白熱灯器具のランプ等の消耗による取替え作業時、支柱下部に配設された回転シャフトにハンドルを装着し、回転操作することにより、可動台座に取付けられた看板本体を上下降できることを特徴とした、上下降装置付看板支柱に関するものである。
【背景技術】
【０００２】従来の看板取付け支柱は、角形鋼管、或は、丸形鋼管製の支柱に看板取付け腕部を溶接又は、ボルトナットを用いて強固に固定するものが一般的であり、照明装置のランプ交換時は、梯子や足場組或は、高所作業車等による作業が通常である。特に、看板設置場所は道路に面した位置が多く、梯子による作業は作業者に限らず通行人に対しても危険であり、足場組や高所作業車による作業は交通の妨げになる問題点を有していた。上記背景技術は一般的になされている事項であり、本出願人は、出願時に於いて、この背景技術が記載された文献を特に知見していない。
【発明の開示】
【発明が解決しようとする課題】
【０００３】従来の看板取付け支柱は、看板取付け腕部を強固な方法を用いて支柱に固定するものが一般的であり、照明装置の器具やランプの消耗による取替え時、或は、文字板の経年劣化による取替え時は、高所作業のため仮設材又は、仮設車等が必要となり、危険で非効率的な作業であった。本発明は、以上の問題点を解決するためになされたものである。
【課題を解決するための手段】
【０００４】本発明は、上記事情により鑑みてなされたもので、次のような構成としている。一面に可動溝を設けた強固な鋼管支柱内下部に笠歯車を備えた回転シャフトと、該笠歯車と合致する笠歯車を併せ持つ螺旋軸を収納した支柱に、該支柱外周面にわずかな隙間と腕及び、看板取付け板を設け且つ、可動ナットを具備した可動台座の可動ナットと、螺旋軸を合致させ支柱へ組立てる。このように構成された看板支柱に、照明装置を有する看板を取付けた場合、消耗によるランプの取替え時、或は、経年劣化による他の保守点検作業時には、支柱下部に配設された回転シャフトに着脱可能なハンドルを装着して、ハンドルの回転操作により、笠歯車を介し螺旋軸を回転させ、可動ナットを介し、可動台座に取付けた看板を上下降することができ、安全で効率のよい保守点検作業を特徴とする上下降装置付看板支柱である。
【発明の効果】
【０００５】このようにすれば、照明装置等のランプ取替えに限らず、経年劣化による他の保守点検に於いても、梯子や足場組、又は、高所作業車などの仮設が不要となり、一本のハンドル操作によって、効率のよい作業と安全面に危惧することなく目的を達成でき、経済面に於いても貢献するものである。
【発明を実施するための最良の形態】
【０００６】本発明は、店舗または他の施設が屋外へ設置する照明装置付看板、或は、無照明看板の支柱に関するもので、安全で効率よく保守点検が行えるよう考慮されたものである。それを図面について説明すれば、スチール角形鋼管、又は、丸形鋼管、或は、ステンレス角形鋼管、及び丸形鋼管の強固な支柱１一面へ可動台座１１のナット取付け板１２が上下降を必要とする長さと幅を有する可動溝１０と最下部へ水抜き穴２２を加工して、且つ、内部に個々の部品を取付け可能な方法を用いて製作する。製作した支柱１内部下方に設けた回転シャフト６外周面より僅かな隙間を持つシャフト穴２５とシャフト受２６を介し笠歯車小５を備えた回転シャフト６を組立てると共に、軸受７上に配設した回転座金８と軸受７の軸穴を介し支柱１上方より螺旋軸２を挿入する、挿入した螺旋軸２に笠歯車大３を回転シャフト６に取付けられた笠歯車小５と合致させ、円滑な回転が可能な位置に於いて笠歯車止めピン４を用いて固定する。また、既に製作済のナット取付け板１２とナット受け１３及び、可動ナット１４を備えた支柱１外周面より僅かな隙間を持つ可動台座１１を支柱１へ合致させ、ナット取付け板１２を支柱１の可動溝１０へ挿入すると共に、可動ナット１４を螺旋軸２へ嵌め込み、支柱１上部へ螺旋軸２の振れ止２４を併せ持つ支持板９と支柱１下部の回転シャフト６直下へ支持板９を取付け、支柱１最上部へ天板２３を用いて閉塞後仮設状態にある螺旋軸２と可動ナット１４を合致させるため、回転シャフト６にハンドル２１を装着して、右または左に回転をし、螺旋軸２の螺旋と可動ナット１４を確実に合致させ、ハンドル２１の回転操作により可動台座１１が上下降するものである。また、看板２７取付けは、可動台座１１に強固に取付けられた腕１５該補強板１６及び、看板取付け板１７からなり、ボルト穴１８を介し、看板取付け板１７へボルト１９、ナット２０を用いて取付ける。このように組立てた上下降装置付看板支柱は、一本のハンドル２１操作により高所より看板２７を下降することができ、また、螺旋軸２の可動状況は、可動溝１０より油脂を注入することが可能であり、雨水の支柱内への浸入も支柱下部に設けた水抜き穴２２より自然排水され、照明装置の電線２８は外部引き込みのため看板２７の取付け位置により選択して、必要長さは柔軟に対応することが可能であり、効率のよい保守点検作業と安全面に危惧することなく目的を達成でき、経済面に於いても貢献するものである。
【図面の簡単な説明】
【０００７】
【図１】本発明の看板取付け実施例の斜視図である。
【図２】本発明の部品構成斜視図である。
【図３】本発明の要部構造断面図である。
【符号の説明】
【０００８】１      支柱
２      螺旋軸
３      笠歯車大
４      笠歯車止めピン
５      笠歯車小
６      回転シャフト
７      軸受
８      回転座金
９      支持板
１０    可動溝
１１    可動台座
１２    ナット取付け板
１３    ナット受け
１４    可動ナット
１５    腕
１６    補強板
１７    看板取付け板
１８    ボルト穴
１９    ボルト
２０    ナット
２１    ハンドル
２２    水抜き穴
２３    天板
２４    振れ止
２５    シャフト穴
２６    シャフト受
２７    看板
２８    電線
【図１】
2008116889.tif 000003
【図２】
2008116889.tif 000004
【図３】
2008116889.tif 000005